(57)【要約】【課題】構造を簡素にできるとともに、軽量化でき、しかも、部材の落下を抑制しながら見栄えを良好にできる看板構造を提供する。【解決手段】看板構造において、支持体の被着面２９に裏面が当接する四角形の基板１７と、基板１７の四辺に沿う長尺材で形成され、被着面２９に対向する固定面３１が基板１７の表面側の縁部に当接し、固定面３１の外端には被着面２９に向かって突出して基板１７の端面を覆う突条３９が形成された枠材１９と、四角枠に組まれた枠材１９の固定面３１に当接した縁部を基板１７の裏面から貫通して固定面３１に固定する縁部固定用皿ねじ２１と、四角枠の内側で表出する基板１７を表面から貫通して被着面２９に固定する基板固定用皿ねじ２３と、四角枠４３の内側で表出する基板１７の表面に粘着層が貼着し且つこの粘着層が基板固定用皿ねじ２３における平坦面５５に接着する掲示シート２５と、を備える。【選択図】  図４
2020071258.tif 000002
【特許請求の範囲】
【請求項１】
四角形に形成され支持体の鉛直方向に沿う被着面に裏面が当接する基板と、
前記基板のそれぞれの四辺に沿う長尺材で形成され、長手方向に直交する断面がほぼ角筒状で形成され、前記被着面に対向する固定面が前記基板の表面側における各辺の縁部に当接し、前記固定面の外端には前記長手方向に延在し、前記基板の板厚と同一の高さで前記被着面に向かって突出して前記基板の端面を覆う突条が形成された枠材と、
四角枠に組まれた前記枠材の前記固定面に当接した前記縁部を前記基板の裏面から貫通して前記固定面に固定し頭部の平坦面が前記被着面に当接する縁部固定用皿ねじと、
前記四角枠の内側で表出する前記基板を表面から貫通して前記被着面に固定し頭部の平坦面が前記基板の表面と面一となる基板固定用皿ねじと、
裏面に粘着層を有するとともに表面に掲示手段が施され前記四角枠の内側で表出する前記基板の表面に前記粘着層が貼着し且つこの粘着層が前記基板固定用皿ねじにおける前記平坦面に接着する掲示シートと、
を備えることを特徴とする看板構造。
【請求項２】
前記四角枠の内側で表出する前記基板の表面に、前記四角枠の縦方向の前記枠材及び横方向の前記枠材の少なくとも何れか一方の前記枠材と平行となって配置される仕切枠と、
前記基板を裏面から貫通して前記仕切枠に固定し頭部の平坦面が前記基板の裏面と面一となって前記被着面に当接する仕切枠固定用皿ねじと、
を備えることを特徴とする請求項１に記載の看板構造。
【請求項３】
前記支持体が、立設された一対の平行な垂直枠を、上下に並ぶ複数の平行な水平枠の水平方向両端で連結した自立看板枠であり、
前記被着面が、前記基板に対して平行に形成され、前記垂直枠及び前記水平枠の少なくとも何れか一方に設けられた外側面部であることを特徴とする請求項１または２に記載の看板構造。
【請求項４】
前記支持体が、壁や柱などの構造物に固定された壁付看板枠であり、
前記被着面が、前記基板に対して平行となって前記壁付看板枠に形成された下地材であることを特徴とする請求項１または２に記載の看板構造。
【発明の詳細な説明】
【技術分野】
【０００１】
本発明は、看板構造に関する。
【背景技術】
【０００２】
駅の掲示板、時刻表などの看板構造は、柱体等を備える門型の構造物の表面や表裏面に、四角形の支持枠と、この支持枠に固定されるベニヤ板や軽石板などの背板とが固定される。そして、その上（表面）に、支持枠に対して開閉自在に枠体（額縁体）が設けられる。枠体には基板、掲示物、アクリル板等の透明樹脂性保護板が取り付けられる。掲示物は、枠体が閉じられることで、背板と透明樹脂材からなる保護板とに挟み込まれて視認される。掲示物は、枠体が開放されることにより交換が可能となる。
【先行技術文献】
【特許文献】
【０００３】
【特許文献１】特開平８−２０２３０４号公報
【特許文献２】特開平７−１９９８４６号公報
【特許文献３】特開平１０−１１６０４５号公報
【発明の概要】
【発明が解決しようとする課題】
【０００４】
しかしながら、枠体を開閉自在に構成して掲示物を挟み込む掲示板は、構造が複雑になり、部品点数も増えて重量が増える。また、このような掲示物を挟み込む看板構造は、多層構造となるため、容易に破損などを起こさないようにすると、各部材の強度を保つために例えば厚さを大きく設定することから重量が増え、ますます重くなる不利がある。また、開閉構造の掲示板は、枠体が強固に固定できず、例えば、地下鉄構内の振動が経時的に作用すると、ビス等の締結具が緩み、枠体の落下につながる虞があった。これに対し、落下を防ぐために支持枠と枠体とを全て貫通するビスなどにより固定してしまえば、開閉が容易ではなくなり、掲示物の交換作業が煩雑となった。これに加え、開閉構造の掲示板は、強度が要求されるため、枠部材が目立ちやすくなり、見栄えが低下しやすくなった。
【０００５】
本発明は上記状況に鑑みてなされたもので、その目的は、構造を簡素にできるとともに、軽量化でき、しかも、部材の落下を抑制しながら見栄えを良好にできる看板構造を提供することにある。
【課題を解決するための手段】
【０００６】
次に、上記の課題を解決するための手段を、実施の形態に対応する図面を参照して説明する。
本発明の請求項１記載の看板構造は、四角形に形成され支持体２７の鉛直方向に沿う被着面２９に裏面が当接する基板１７と、
前記基板１７のそれぞれの四辺に沿う長尺材で形成され、長手方向に直交する断面がほぼ角筒状で形成され、前記被着面２９に対向する固定面３１が前記基板１７の表面側における各辺の縁部３３に当接し、前記固定面３１の外端には前記長手方向に延在し、前記基板１７の板厚と同一の高さで前記被着面２９に向かって突出して前記基板１７の端面４１を覆う突条３９が形成された枠材１９と、
四角枠４３に組まれた前記枠材１９の前記固定面３１に当接した前記縁部３３を前記基板１７の裏面から貫通して前記固定面３１に固定し頭部の平坦面５５が前記被着面２９に当接する縁部固定用皿ねじ２１と、
前記四角枠４３の内側で表出する前記基板１７を表面から貫通して前記被着面２９に固定し頭部の平坦面５５が前記基板１７の表面と面一となる基板固定用皿ねじ２３と、
裏面に粘着層を有するとともに表面に掲示手段が施され前記四角枠４３の内側で表出する前記基板１７の表面に前記粘着層が貼着し且つこの粘着層が前記基板固定用皿ねじ２３における前記平坦面５５に接着する掲示シート２５と、
を備えることを特徴とする。
【０００７】
この看板構造では、枠材１９が、四角枠４３に組まれる。四角枠４３は、支持体２７の表面に対向する側の面が、固定面３１となる。固定面３１には、基板１７の表面側における各辺の縁部３３が当接する。四角枠４３は、固定面３１の外端に、基板１７の板厚と同一の高さで被着面２９に向かって突出する突条３９が基板１７を包囲して四角枠状に形成されている。この突条３９は、基板１７の各辺における端面４１を覆う。突条３９の突出端面と、基板１７の裏面とは、同一平面となる。基板１７は、縁部３３を裏面から貫通して、枠材１９の固定面３１に螺着する縁部固定用皿ねじ２１により枠材１９に固定される。縁部固定用皿ねじ２１は、頭部が平坦面５５となる。縁部固定用皿ねじ２１の平坦面５５は、基板１７の裏面と同一平面となる。基板１７の裏面と平坦面５５が同一平面となった縁部固定用皿ねじ２１は、基板１７の裏面が被着面２９に当接すると同時に平坦面５５が被着面２９に当接する。この状態で、基板１７は、四角枠４３の内側で表出している任意の表面部分が、表面から貫通して被着面２９に螺着する基板固定用皿ねじ２３により被着面２９に固定される。基板１７を被着面２９に固定した基板固定用皿ねじ２３は、頭部の平坦面５５が基板１７の表面と面一となる。枠材１９と一体となって被着面２９に固定された基板１７の表面には、掲示シート２５が貼着される。掲示シート２５は、粘着層により基板１７の表面に接着する。この際、基板１７の表面に表出している基板固定用皿ねじ２３の平坦面５５は、粘着層により掲示シート２５と接着する。
この看板構造では、掲示物を挟み込むために、複数の枠材１９を、従来構造のように、開閉自在に構成する必要がない。この看板構造では、貼着した古い掲示シート２５をはがして新しい掲示シート２５に交換できるので、構造を簡素にでき、掲示物の交換作業も極めて簡単となる。
また、従来構造のような開閉自在な複数の枠体や、掲示物を挟み込むためのアクリル透明板を備える必要がないので、軽量化できる。
枠材１９に基板１７を一体固定するための縁部固定用皿ねじ２１は、平坦面５５が被着面２９に当接して押さえられるので、緩み方向に回転する抜け出しを規制することができる。枠材１９と一体となった基板１７は、基板固定用皿ねじ２３により被着面２９に固定される。この基板固定用皿ねじ２３は、基板１７の表面に表出した頭部の平坦面５５が、基板１７の表面に貼着される掲示シート２５の粘着層と接着するので、緩み方向の回転が規制される。これにより、枠材１９、基板１７、及び掲示シート２５からなる看板パネル１５は、例えば、地下鉄構内の振動による緩みを効果的に抑制できる。
さらに、看板パネル１５を被着面２９に固定する基板固定用皿ねじ２３は、掲示シート２５によって覆われる。このため、看板構造は、ねじ等が表出せず枠材１９のみが露出するスッキリした外観となり、額縁状となって見栄えを良好にできる。  
【０００８】
本発明の請求項２記載の看板構造は、請求項１に記載の看板構造であって、前記四角枠４３の内側で表出する前記基板１７の表面に、前記四角枠４３の縦方向の前記枠材１９及び横方向の前記枠材１９の少なくとも何れか一方の前記枠材１９と平行となって配置される仕切枠９３と、
前記基板１７を裏面から貫通して前記仕切枠９３に固定し頭部の平坦面５５が前記基板１７の裏面と面一となって前記被着面２９に当接する仕切枠固定用皿ねじ９５と、
を備えることを特徴とする。
【０００９】
この看板構造では、四角枠４３の内側で表出する基板１７の表面に、仕切枠９３が配置される。仕切枠９３は、四角枠４３の縦方向の枠材１９及び横方向の枠材１９の少なくとも何れか一方の枠材１９と平行となって配置される。仕切枠９３は、基板１７を裏面から貫通して仕切枠９３に螺着する仕切枠固定用皿ねじ９５により、基板１７に固定される。仕切枠固定用皿ねじ９５は、頭部の平坦面５５が基板１７の裏面と面一となる。この仕切枠固定用皿ねじ９５の平坦面５５は、被着面２９に当接する。これにより、仕切枠固定用皿ねじ９５は、平坦面５５が被着面２９に当接して押さえられるので、緩み方向に回転する抜け出しを規制することができる。
仕切枠９３は、基板１７の表面に設けられることで、基板１７の表面を複数の掲示シート貼着領域に区分けできる。これにより、枠材１９、基板１７、及び掲示シート２５からなる複数の看板パネル１５を被着面２９に設ける場合に比べ、部品点数を少なくできる。また、複数の看板パネル１５を被着面２９に設ける場合に比べ、軽量化できる。さらに、枠材１９が隣接して重なることを防止できる。これにより、さらにスッキリした外観となり、見栄えを一層良好にできる。
【００１０】
本発明の請求項３記載の看板構造は、請求項１または２に記載の看板構造であって、前記支持体２７が、立設された一対の平行な垂直枠５７を、上下に並ぶ複数の平行な水平枠５９の水平方向両端で連結した自立看板枠２７であり、
前記被着面２９が、前記基板１７に対して平行に形成され、前記垂直枠５７及び前記水平枠５９の少なくとも何れか一方に設けられた外側面部６１であることを特徴とする。
【００１１】
この看板構造では、支持体２７が、看板枠となる。看板枠は、一対の平行な垂直枠５７を、上下に並ぶ複数の平行な水平枠５９の水平方向両端で連結した門型で形成される。看板枠は、一対の垂直枠５７の下部が脚部となって地面に固定されることで、自立する。垂直枠５７及び水平枠５９の少なくとも何れか一方には、被着面２９となる外側面部６１が設けられる。外側面部６１には、縁部固定用皿ねじ２１の平坦面５５が当接するとともに、基板固定用皿ねじ２３が螺着される。
看板構造を備える看板枠によれば、構造を簡素にでき、掲示物の交換作業も極めて簡単となる。また、アクリル透明板を備える必要がないので、軽量化できる。枠材１９、基板１７、及び掲示シート２５からなる看板パネル１５は、例えば、地下鉄構内の振動による緩みを効果的に抑制できる。さらに、枠材１９のみが露出するスッキリした外観となり、見栄えを良好にできる。
【００１２】
本発明の請求項４記載の看板構造は、請求項１または２に記載の看板構造であって、前記支持体が、壁７５や柱などの構造物に固定された壁付看板枠７７であり、
前記被着面２９が、前記基板１７に対して平行となって前記壁付看板枠７７に形成された下地材８９であることを特徴とする。
【００１３】
この看板構造では、支持体が、壁７５や柱などの構造物に固定された壁付看板枠７７となる。構造物には、アングル材７９が固定される。壁付看板枠７７は、例えばアングル材７９を介して構造物に固定される。壁付看板枠７７は、基板１７に対して平行な被着面２９を有する下地材８９が設けられる。下地材８９の表面には、縁部固定用皿ねじ２１の平坦面５５が当接するとともに、基板固定用皿ねじ２３が螺着される。
壁７５や柱などの構造物に設けられる壁付看板１３によれば、構造を簡素にでき、掲示物の交換作業も極めて簡単となる。また、アクリル透明板を備える必要がないので、軽量化できる。そして、例えば、地下鉄構内の振動による緩みを効果的に抑制できる。さらに、枠材１９のみが露出するスッキリした外観となり、見栄えを良好にできる。
【発明の効果】
【００１４】
本発明に係る請求項１記載の看板構造によれば、構造を簡素にできるとともに、軽量化でき、しかも、部材の落下を抑制しながら見栄えを良好にできる。
【００１５】
本発明に係る請求項２記載の看板構造によれば、複数の掲示シートを貼着するに際し、枠材同士が重ならないように、見栄えを良好にできる。
【００１６】
本発明に係る請求項３記載の看板構造によれば、自立看板の構造を簡素にできるとともに、軽量化でき、しかも、部材の落下を抑制しながら見栄えを良好にできる。
【００１７】
本発明に係る請求項４記載の看板構造によれば、壁や柱などの構造物の表面に取り付けられる壁付看板の構造を簡素にできるとともに、軽量化でき、しかも、部材の落下を抑制しながら見栄えを良好にできる。
【図面の簡単な説明】
【００１８】
【図１】本発明の実施の形態に係る看板構造を備える自立看板の分解斜視図である。
【図２】図１に示した看板パネルの分解斜視図である。
【図３】図２に示した看板パネルの要部分解平断面図である。
【図４】自立看板の要部平断面図である。
【図５】看板パネルの要部平断面図である。
【図６】被着面に固定された看板パネルの要部平断面図である。
【図７】掲示シートが貼着された看板パネルの要部平断面図である。
【図８】壁付看板の要部平断面図である。
【図９】仕切枠の設けられた看板構造の側断面図である。
【発明を実施するための形態】
【００１９】
以下、本発明に係る実施の形態を図面を参照して説明する。
図１は本発明の実施の形態に係る看板構造を備える自立看板１１の分解斜視図である。
本実施の形態に係る看板構造は、自立看板１１や壁付看板１３（図８参照）などに好適に用いることができる。本実施の形態では、看板構造が主に自立看板１１に適用される場合を説明する。
【００２０】
図２は図１に示した看板パネル１５の分解斜視図である。
看板構造は、基板１７と、枠材１９と、縁部固定用皿ねじ２１と、基板固定用皿ねじ２３と、掲示シート２５と、を主要な構成として備える。これら、基板１７、枠材１９、縁部固定用皿ねじ２１、基板固定用皿ねじ２３、掲示シート２５は、看板パネル１５を構成する。
【００２１】
基板１７は、軽量で平滑性、高剛性、耐衝撃性を有する。基板１７は、アルミと樹脂とを積層した複合板などを用いることができる。基板１７は、防火性のある素材よりなることが望ましい。このような基板材料としては、例えば、「アルポリック／ｆｒＡＤ」（商品名：三菱ケミカル株式会社）を挙げることができる。この基板材料は、ｆｒ芯材（防火性芯材）の表裏面をアルミニウムで挟み、表面処理（フッ素樹脂コーティング）した３層構造を有し、防火性能を備える。これにより、掲示物をフィルム貼りで仕上げる際の下地材として好適に用いることができる。
【００２２】
基板１７は、一例として、板厚３ｍｍ程度、重量５．５ｋｇ／ｍ2 程度の仕様とすることができる。
【００２３】
図３は図２に示した看板パネル１５の要部分解平断面図である。
基板１７は、四角形に形成される。基板１７は、自立看板１１の支持体（自立看板枠２７）の鉛直方向に沿う被着面２９に裏面が当接して取り付けられる。
【００２４】
枠材１９は、基板１７のそれぞれの四辺に沿う長尺材で形成される。枠材１９は、長手方向に直交する断面がほぼ角筒状で形成される。枠材１９は、基板１７を挟んで被着面２９の反対側に配置される。枠材１９は、被着面２９に対向する固定面３１が基板１７の表面側における各辺の縁部３３に当接する。
【００２５】
枠材１９の固定面３１には、雌ねじ部３５が形成される。基板１７の縁部３３には、雌ねじ部３５に螺合する縁部固定用皿ねじ２１の挿通されるねじ挿通穴３７が穿設されている。基板１７の縁部３３は、ねじ挿通穴３７に裏面側（被着面側）から挿通された縁部固定用皿ねじ２１が、固定面３１の雌ねじ部３５に螺合することで固定面３１に固定される。
【００２６】
一方、基板１７には、基板固定用皿ねじ２３の挿通されるねじ挿通穴３７が穿設されていない。基板固定用皿ねじ２３は、現場対応で基板１７の任意の位置で貫通されて被着面２９に螺合される。これにより、基板固定用皿ねじ２３は、ねじ止め位置の自由度が高められている。この基板固定用皿ねじ２３には、例えば下穴を不要とするタッピングビス等を用いることができる。
【００２７】
枠材１９は、固定面３１の外端に、長手方向に延在して基板１７の板厚と同一の高さで被着面２９に向かって突出する突条３９が形成される。突条３９は、基板１７の縁部３３が固定されることで、基板１７の端面４１を覆う。枠材１９には、例えばアルミ製の押出成形材を用いることができる。
【００２８】
枠材１９は、四角枠４３（図１参照）に形成される。四角枠４３は、四角形の各辺の長さで形成した４本の枠材１９を、図２に示したコーナー連結部材４５で連結することにより組まれる。このコーナー連結部材４５にも、基板１７の隅部が当接するコーナー固定面４７が設けられる。コーナー固定面４７の外端には、四角枠４３の隣接する辺の枠材１９に形成された突条３９を接続するコーナー突条４９が形成される。コーナー連結部材４５は、両端に、直交方向で延出して設けられた挿入部５１が、四角枠４３の隣接する辺のそれぞれの枠材１９における端部開口部５３に挿入されて、枠材同士を連結する。
【００２９】
縁部固定用皿ねじ２１は、四角枠４３に組まれた枠材１９の固定面３１に当接した縁部３３を、基板１７の裏面から貫通する。基板１７を貫通した縁部固定用皿ねじ２１は、固定面３１に螺合する。基板１７を枠材１９の固定面３１に固定した縁部固定用皿ねじ２１は、看板パネル１５が被着面２９に取り付けられることにより、頭部の平坦面５５が被着面２９に当接する。縁部固定用皿ねじ２１は、基板１７が複合板（芯材が樹脂）であるので、基板１７に締め込むことにより、頭部の平坦面５５が基板１７の裏面と面一となる。縁部固定用皿ねじ２１は、枠材１９の裏面側で固定され、且つ被着面２９により覆われるので、見栄えをよくすることができ、悪戯もできなくなる。
【００３０】
基板固定用皿ねじ２３は、四角枠４３の内側で表出する基板１７を表面から貫通する。基板１７を貫通した基板固定用皿ねじ２３は、基板１７を被着面２９に固定する。基板１７を固定した基板固定用皿ねじ２３は、頭部の平坦面５５が基板１７の表面と面一（図６参照）となる。基板固定用皿ねじ２３は、基板１７が複合板（芯材が樹脂）であるので、基板１７に締め込むことにより、頭部の平坦面５５が基板１７の被着面２９と面一となる。
【００３１】
掲示シート２５は、裏面に粘着層を有する。この掲示シート２５の表面には、掲示手段が施される。掲示シート２５は、四角枠４３の内側で表出する基板１７の表面に粘着層により貼着される。掲示シート２５は、基板１７の表面に貼着されることで、粘着層が基板固定用皿ねじ２３における平坦面５５に接着する（図７参照）。すなわち、掲示シート２５は、基板固定用皿ねじ２３の緩み止めとしても作用する。
【００３２】
掲示シート２５としては、粘着剤付きの塩ビフィルムシート、カッティングシート（登録商標）を用いることができる。また、好ましくは不燃、耐火、耐熱性の樹脂シート（不燃塩ビシート、不燃ＵＶシート）、耐候性のシート、ポリ塩化ビニルシートなどが用いられる。
【００３３】
掲示シート２５は、掲示内容を印刷により表面に施すことができる。また、掲示シート２５は、シート面に突起した点を一定の方式に組み合わせた点字等を施すこともできる。掲示シート２５は、例えば駅構内の看板パネル１５であれば、時刻表、出口案内、乗換案内、路線案内などを表示することができる。
【００３４】
図４は自立看板１１の要部平断面図である。
本実施の形態では、看板構造の支持体が、自立看板枠２７となる。自立看板枠２７は、立設された一対の平行な垂直枠５７を、上下に並ぶ複数の平行な水平枠５９（図１参照）の水平方向両端で連結して門型となる。この場合、被着面２９は、基板１７に対して平行に形成され、垂直枠５７及び水平枠５９の少なくとも何れか一方に設けられた外側面部６１となる。
【００３５】
自立看板枠２７の垂直枠５７は、外側の垂直枠化粧体６３と、垂直枠化粧体６３の長手方向に沿って内側に固定される角筒状の垂直枠本体６５と、により構成される。また、垂直枠５７は、垂直枠本体６５のさらに内側に、断面Ｃ字形状の下地枠６７が長手方向に沿って固定されていてもよい。この場合、被着面２９は、垂直枠本体６５及び下地枠６７の外側面部６１とすることができる。この自立看板枠２７では、垂直枠本体６５及び下地枠６７における表裏の外側面部６１に、看板パネル１５が固定される。つまり、自立看板１１は、両面使いとすることができる。
【００３６】
また、自立看板枠２７は、図１に示すように、２つ以上の水平枠５９が設けられてもよい。これにより、上下に２つ以上の看板パネル、図例では上段看板パネル６９、中段看板パネル７１、下段看板パネル７３を多段状に固定することができる。
【００３７】
次に、看板構造の組付け手順を説明する。
【００３８】
図５は看板パネル１５の要部平断面図である。
看板構造を組み立てるには、先ず、各辺の枠材１９を、コーナー連結部材４５を用いて四角枠４３に組み付ける。四角枠４３の固定面３１に、基板１７の縁部３３を当接する。基板１７は、四角枠４３の裏側から外端に起立する突条３９の内側に嵌合した状態で組み付けられる。この状態で、基板１７の裏面から縁部固定用皿ねじ２１で基板１７を四角枠４３の固定面３１に固定する。これにより、四角枠４３と基板１７とは、一体に固定される。
【００３９】
図６は被着面２９に固定された看板パネル１５の要部平断面図である。
四角枠４３に固定された基板１７を、表面から貫通する基板固定用皿ねじ２３により被着面２９に固定する。これと同時に、縁部３３を四角枠４３に固定した縁部固定用皿ねじ２１の平坦面５５が、被着面２９に当接する。
【００４０】
図７は掲示シート２５が貼着された看板パネル１５の要部平断面図である。
最後に、四角枠４３の内側で表出している基板１７の表面に、掲示シート２５を貼着する。基板１７を被着面２９に固定した基板固定用皿ねじ２３は、これにより、掲示シート２５の粘着層に平坦面５５が接着する。以上で、自立看板枠２７の被着面２９に、看板パネル１５を固定した、自立看板１１の組付けが完了する。
【００４１】
図８は壁付看板１３の要部平断面図である。
また、看板構造は、支持体が、壁７５や柱などの構造物に固定される支持体（壁付看板枠７７）であってもよい。構造物には、アングル材７９が固定される。アングル材７９は、例えば山形鋼材、みぞ形鋼材、或いはＩ形鋼材とすることができる。図例では、山形鋼材を示す。壁付看板枠７７は、このアングル材７９を介して構造物に固定される。壁付看板枠７７は、アングル材７９に固定されるみぞ形鋼材８１を有する。みぞ形鋼材８１の外面には、化粧外枠８３と、背板８５が固定される。化粧外枠８３の固定片部８７は、背板８５と同一平面となってみぞ形鋼材８１の外側面部６１に固定される。
【００４２】
固定片部８７や背板８５には、下地材８９が固定される。下地材８９は、基板１７が当接する下地面９１を有する。下地面９１は、背板８５から一定の間隔を有して表面側に離間する。この離間寸法は、基板固定用皿ねじ２３の首下長とほぼ一致する。
【００４３】
みぞ形鋼材８１、化粧外枠８３、背板８５、下地材８９は、壁付看板枠７７を構成する。
【００４４】
壁付看板枠７７は、下地材８９の下地面９１が被着面２９となって、この下地面９１に、上記と同様に構成される看板パネル１５が固定される。看板パネル１５の基板１７は、この壁付看板枠７７の下地材８９に固定される。縁部固定用皿ねじ２１の平坦面５５は、下地面９１に当接する。基板１７を下地材８９に固定した基板固定用皿ねじ２３は、平坦面５５が基板１７の表面に貼着される掲示シート２５の粘着層に接着する。
【００４５】
この壁付看板１３では、図例のように、横並びに複数の看板パネル１５が連続して固定されてもよい。この場合、背板８５には、複数の下地材８９を離間して配設し、それぞれの看板パネル１５を複数の下地材８９に跨って固定することができる。これにより、下地材８９の重量を小さくして、壁付看板１３を軽量化できる。
【００４６】
なお、上記した壁付看板枠７７を省略し、壁や柱などの構造物自体を支持体として、壁面や柱表面を下地面とし、この下地面に対して基板固定用皿ねじにて固定させることとしてもよい。
この構成によれば、壁面や柱表面に縁部固定用皿ねじ２１の平坦面５５が当接し、この縁部固定用皿ねじ２１の緩み方向に回転する抜け出しを規制できることとなる。そして、壁や柱に対して、看板パネル１５のみが配設されることになることから、簡素な見栄えで構成できることとなる。
【００４７】
図９は仕切枠９３の設けられた看板構造の側断面図である。
看板構造は、仕切枠９３と、仕切枠固定用皿ねじ９５と、を備えることができる。仕切枠９３は、四角枠４３の内側で表出する基板１７の表面に、四角枠４３の縦方向の枠材１９及び横方向の枠材１９の少なくとも何れか一方の枠材１９と平行となって配置される。仕切枠固定用皿ねじ９５は、基板１７を裏面から貫通して、仕切枠９３の固定面３１に固定する。仕切枠固定用皿ねじ９５は、頭部の平坦面５５が基板１７の裏面と面一となって被着面２９に当接する。
【００４８】
仕切枠９３を備えた看板構造によれば、複数の看板パネル１５を隣接して配設する場合のように、２本の枠材１９が隣接して配置されることがない。すなわち、１本の仕切枠９３により掲示シート貼着領域を区分けすることができる。
【００４９】
次に、上記した構成の作用を説明する。
本実施の形態に係る看板構造では、枠材１９が、四角枠４３に組まれる。四角枠４３は、支持体２７の表面に対向する側の面が、固定面３１となる。固定面３１には、基板１７の表面側における各辺の縁部３３が当接する。四角枠４３は、固定面３１の外端に、基板１７の板厚と同一の高さで被着面２９に向かって突出する突条３９が基板１７を包囲して四角枠状に形成されている。この突条３９は、基板１７が四角枠４３に取り付けられることにより、基板１７の各辺における端面４１を覆う。突条３９の突出端面と、基板１７の裏面とは、同一平面となる。
【００５０】
基板１７は、縁部３３を裏面から貫通して、枠材１９の固定面３１に螺着する縁部固定用皿ねじ２１により枠材１９に固定される。縁部固定用皿ねじ２１は、頭部が平坦面５５となる。縁部固定用皿ねじ２１の平坦面５５は、基板１７の裏面と同一平面となる。基板１７の裏面と平坦面５５が同一平面となった縁部固定用皿ねじ２１は、基板１７の裏面が被着面２９に当接すると同時に平坦面５５が被着面２９に当接する。
【００５１】
この状態で、基板１７は、四角枠４３の内側で表出している任意の表面部分が、表面から貫通して被着面２９に螺着する基板固定用皿ねじ２３により被着面２９に固定される。基板１７を被着面２９に固定した基板固定用皿ねじ２３は、頭部の平坦面５５が基板１７の表面と面一となる。枠材１９と一体となって被着面２９に固定された基板１７の表面には、掲示シート２５が貼着される。掲示シート２５は、粘着層により基板１７の表面に接着する。この際、基板１７の表面に表出している基板固定用皿ねじ２３の平坦面５５は、粘着層により掲示シート２５と接着する。
【００５２】
この看板構造では、掲示物を挟み込むために、複数の枠材１９を、従来構造のように、開閉自在に構成する必要がない。この看板構造では、貼着した古い掲示シート２５をはがして新しい掲示シート２５に交換できるので、構造を簡素にでき、掲示物の交換作業も極めて簡単となる。
【００５３】
また、従来構造のような開閉自在な複数の枠体や、掲示物を挟み込むためのアクリル透明板を備える必要がないので、軽量化できる。
【００５４】
枠材１９に基板１７を一体固定するための縁部固定用皿ねじ２１は、平坦面５５が被着面２９に当接して押さえられるので、緩み方向に回転する抜け出しを規制することができる。枠材１９と一体となった基板１７は、基板固定用皿ねじ２３により被着面２９に固定される。この基板固定用皿ねじ２３は、基板１７の表面に表出した頭部の平坦面５５が、基板１７の表面に貼着される掲示シート２５の粘着層と接着するので、緩み方向の回転が規制される。これにより、枠材１９、基板１７、及び掲示シート２５からなる看板パネル１５は、例えば、地下鉄構内の振動による緩みを効果的に抑制し、落下しにくくできる。
【００５５】
さらに、看板パネル１５を被着面２９に固定する基板固定用皿ねじ２３は、掲示シート２５によって覆われる。このため、看板構造は、ねじ等が表出せず枠材１９のみが露出するスッキリした外観となり、見栄えを良好にできる。
【００５６】
また、この看板構造では、支持体が、自立看板枠２７となる。自立看板１１は、一対の平行な垂直枠５７を、上下に並ぶ複数の平行な水平枠５９の水平方向両端で連結した門型で形成される。自立看板１１は、一対の垂直枠５７の下部が脚部となって地面に固定されることで、自立する。垂直枠５７及び水平枠５９の少なくとも何れか一方には、被着面２９となる外側面部６１が設けられる。外側面部６１には、縁部固定用皿ねじ２１の平坦面５５が当接するとともに、基板固定用皿ねじ２３が螺着される。
【００５７】
看板構造を備える自立看板１１では、構造を簡素にでき、掲示物の交換作業も極めて簡単となる。また、アクリル透明板を備える必要がないので、軽量化できる。枠材１９、基板１７、及び掲示シート２５からなる看板パネル１５は、例えば、地下鉄構内の振動による緩みを効果的に抑制できる。さらに、枠材１９のみが露出するスッキリした外観となり、見栄えを良好にできる。その結果、自立看板１１の構造を簡素にできるとともに、軽量化でき、しかも、部材の落下を抑制しながら見栄えを良好にできる。
【００５８】
さらに、この看板構造は、支持体が、構造物に固定される壁付看板枠７７であってもよい。構造物には、アングル材７９が固定される。壁付看板枠７７は、アングル材７９を介して構造物に固定される。基板１７は、この壁付看板枠７７の被着面２９である下地材８９に固定される。すなわち、構造物に固定された壁付看板枠７７に、看板パネル１５が固定される。下地材８９の表面には、縁部固定用皿ねじ２１の平坦面５５が当接するとともに、基板固定用皿ねじ２３が螺着される。
【００５９】
壁７５や柱などの構造物に設けられる壁付看板１３では、上記と同様に、構造を簡素にでき、掲示物の交換作業も極めて簡単となる。また、アクリル透明板を備える必要がないので、軽量化できる。また、例えば、地下鉄構内の振動による緩みを効果的に抑制できる。さらに、枠材１９のみが露出するスッキリした外観となる。その結果、壁７５や柱などの構造物の表面に取り付けられる壁付看板１３の構造を簡素にできるとともに、軽量化でき、しかも、部材の落下を抑制しながら見栄えを良好にできる。
【００６０】
また、この看板構造では、四角枠４３の内側で表出する基板１７の表面に、仕切枠９３が配置されてもよい。仕切枠９３は、四角枠４３の縦方向の枠材１９及び横方向の枠材１９の少なくとも何れか一方の枠材１９と平行となって配置される。仕切枠９３は、基板１７を裏面から貫通して仕切枠９３に螺着する仕切枠固定用皿ねじ９５により、基板１７に固定される。仕切枠固定用皿ねじ９５は、頭部の平坦面５５が基板１７の裏面と面一となる。この仕切枠固定用皿ねじ９５の平坦面５５は、被着面２９に当接する。これにより、仕切枠固定用皿ねじ９５は、平坦面５５が被着面２９に当接して押さえられるので、緩み方向に回転する抜け出しを規制することができる。
【００６１】
仕切枠９３は、基板１７の表面に設けられることで、基板１７の表面を複数の掲示シート貼着領域に区分けできる。これにより、枠材１９、基板１７、及び掲示シート２５からなる複数の看板パネル１５を被着面２９に設ける場合に比べ、部品点数を少なくできる。また、複数の看板パネル１５を被着面２９に設ける場合に比べ、軽量化できる。さらに、枠材１９が隣接して重なることを防止できる。これにより、異なる複数の掲示シート２５を並べて貼着する場合であっても、スッキリした外観となり、見栄えを一層良好にできる。
【００６２】
従って、本実施の形態に係る看板構造によれば、構造を簡素にできるとともに、軽量化でき、しかも、部材の落下を抑制しながら見栄えを良好にできる。
【符号の説明】
【００６３】
１７…基板
１９…枠材
２１…縁部固定用皿ねじ
２３…基板固定用皿ねじ
２５…掲示シート
２７…支持体（自立看板枠）
２９…被着面
３１…固定面
３３…縁部
３９…突条
４１…端面
４３…四角枠
５５…平坦面
５７…垂直枠
５９…水平枠
６１…外側面部
７５…構造物（壁）
７７…支持体（壁付看板枠）
８９…下地材
９３…仕切枠
９５…仕切枠固定用皿ねじ
【図１】
2020071258.tif 000003
【図２】
2020071258.tif 000004
【図３】
2020071258.tif 000005
【図４】
2020071258.tif 000006
【図５】
2020071258.tif 000007
【図６】
2020071258.tif 000008
【図７】
2020071258.tif 000009
【図８】
2020071258.tif 000010
【図９】
2020071258.tif 000011